(57)【要約】      （修正有）【課題】１系統目の火災発報信号の移報出力を２系統目に入力して自動起動させるようにした制御盤で、点検時に移報停止を行っていても１系統目の火災発報信号の入力により自動起動を可能とする。【解決手段】制御盤は、１系統目の火災発報信号の受信で作動する第１移報リレー５２の移報リレー接点５２ｂを２系統目の感知器接続端子４６ａ，４６ｂ間に接続し、１系統目の火災発報信号による移報リレー接点５２ｂのオンで２系統目の火災発報信号を擬似的に入力して起動信号を出力させる。設備の点検時には、移報停止スイッチ７０の操作で第１移報リレー５２の動作を停止させており、１系統目の火災発報信号が入力しても、起動信号は出力されず、点検ができないが、連動停止解除スイッチ７２を設け、移報停止が行われていても、第１移報リレー５２を動作可能とし、１系統目の火災発報信号により起動信号を出力させて点検可能とする。【選択図】図３
2018068456.tif 000002
【特許請求の範囲】
【請求項１】
複数系統の信号入力により起動信号を出力する起動制御部と、
非点検時は１系統の信号入力があると前記複数の信号を前記起動制御部に対して出力し、点検時は前記１系統の信号入力があっても前記複数の信号を前記起動制御部に対して出力しない制御部が設けられたガス系消火設備に於いて、
前記制御部は、前記点検時であっても、前記1系統の信号入力により前記複数の信号を前記起動制御部に対して出力する状態に設定可能なことを特徴とするガス系消火設備。
【請求項２】
請求項１記載のガス系消火設備に於いて、
前記制御部として機能する制御盤に、
第１系統目の信号を受信して第１検出信号を出力する第１受信部と、
第２系統目の信号を受信して第２検出信号を出力する第２受信部と、
前記第１検出信号により動作して移報信号を出力し、当該移報信号を前記第２系統目の信号に代えて前記第２受信部に入力させる第１移報部と、
前記第２検出信号により動作して移報信号を出力する第２移報部と、
所定の移報停止操作により前記第１移報部と前記第２移報部の移報停止を指示する移報停止スイッチと
所定の連動停止解除操作により前記第１移報部の移報停止を解除させる連動停止解除スイッチと、
が設けられ、
前記起動制御部は、前記第１検出信号と前記第２検出信号の両方が得られた場合に前記起動信号を出力させ、
前記移報停止スイッチの移報停止操作を検出して前記第１移報部及び前記第２移報部の移報動作を停止している状態で、前記連動停止解除スイッチの連動停止解除操作を検出した場合に前記第１移報部の移報停止を解除し、前記第１検出信号による前記第１移報部の移報動作による移報信号を前記第２受信部に入力させて前記起動信号を出力させることを特徴とするガス系消火設備。
【請求項３】
請求項２のガス系消火設備に於いて、
前記第１移報部は電源供給されているときに移報信号を出力する第１移報リレーであり、
前記第２移報部は電源供給されているときに移報信号を出力する第１移報リレーであり、
前記移報停止スイッチは、非移報停止位置に操作されている場合は前記第１移報リレー及び前記第２移報リレーそれぞれに電源供給するものであり、移報停止位置に操作されている場合は前記第１移報リレー及び前記第２移報リレーそれぞれの電源供給を行わないものであり、
前記連動停止解除スイッチは、連動停止解除位置に操作された場合に、前記第１移報リレーに電源を供給することを特徴とするガス系消火設備。
【請求項４】
請求項２又は３記載のガス系消火設備に於いて、前記移報停止スイッチを前記定位位置に操作した場合に前記連動停止解除スイッチが前記定位位置に連動して操作され、前記移報停止スイッチを前記移報停止位置に操作した場合に前記連動停止解除スイッチが前記連動停止解除位置に連動して操作されるように構成したことを特徴とするガス系消火設備。
【発明の詳細な説明】
【技術分野】
【０００１】
本発明は、制御盤のガス放出制御により防護区画に設けた噴射ヘッドから二酸化炭素やハロンガス等の消火ガスを放出して火災を消火するガス系消火設備に関する。
【背景技術】
【０００２】
従来、火災発生時に二酸化炭素やハロンガス等の消火ガスを放出して火災を消火するガス系消火設備にあっては、水損や汚損を嫌う機器を設置している室内において、消火による機器損失を最小限に抑えつつ迅速な消火を行うことを可能とする。
【０００３】
このようなガス系消火設備は、制御盤に自動モードを設定していた場合には、防護区画に設置した２系統に接続された２台の火災感知器からの火災発報（２系統のＡＮＤ発報）があった場合に、ガス放出する起動条件が成立したと判断して所定時間のカウントダウンを開始し、カウントダウンが終了すると、制御盤から起動装置に起動信号を出力して動作し、起動装置から二酸化炭素等の開放ガスを防護区画に対応したガス供給配管に設けた選択弁に供給して開くと共に消火ガス貯蔵容器の栓を開け、噴射ヘッドから消火ガスを放出する。
【０００４】
また制御盤に手動モードを設定していた場合には、監視員が目視又は火災感知器の発報によって火災を発見し、防護区画に設置した操作箱の扉を開いて起動スイッチを押した場合にガス放出する起動条件が成立したと判断して制御盤がカウントダウンを開始し、カウントダウンが終了すると同様にして消火ガスを放出する。
【０００５】
また、二酸化炭素ガスを放出する設備には、危険性を考慮して２系統の火災感知器からの火災発報信号によって自動で消火ガスを放出させているが、既存のハロンガスを放出する設備では、１系統の火災感知器からの火災発報信号によって消火ガスを自動で放出させている。
【０００６】
このため消火ガスが異なっている場合にも同一の制御盤を用いることができるようにしており、この制御盤は、１系統の火災発報信号による移報出力を２系統目に擬似的な火災発報信号として入力することにより自動起動させている。
【先行技術文献】
【特許文献】
【０００７】
【特許文献１】特開平６−０６２４３２号公報
【特許文献２】特開平１１−２４５８０９号公報
【発明の概要】
【発明が解決しようとする課題】
【０００８】
しかしながら、１系統の火災発報信号の移報出力を２系統目に入力して自動起動させるようにした制御盤にあっては、点検時に制御盤を移報停止状態にしていると、１系統目の火災発報信号が入力しても移報出力が得られないため起動信号が出力されず、点検時に起動と放出の動作確認が行えない問題がある。
【０００９】
本発明は、１系統目の火災発報信号の移報出力を２系統目に入力して自動起動させるようにした制御盤で、点検時に移報停止を行っていても１系統目の火災発報信号の入力により自動起動を可能とするガス系消火設備を提供することを目的とする。
【課題を解決するための手段】
【００１０】
（ガス系消火設備）
本発明は、
複数系統の信号入力により起動信号を出力する起動制御部と、
非点検時は１系統の信号入力があると複数の信号を起動制御部に対して出力し、点検時は１系統の信号入力があっても複数の信号を起動制御部に対して出力しない制御部と、
が設けられたガス系消火設備に於いて、
制御部は、点検時であっても、1系統の信号入力により複数の信号を起動制御部に対して出力する状態に設定可能なことを特徴とする。
【００１１】
（制御盤）
制御部として機能する制御盤に、
第１系統目の信号を受信して第１検出信号を出力する第１受信部と、
第２系統目の信号を受信して第２検出信号を出力する第２受信部と、
第１検出信号により動作して移報信号を出力し、当該移報信号を第２系統目の信号に代えて第２受信部に入力させる第１移報部と、
第２検出信号により動作して移報信号を出力する第２移報部と、
所定の移報停止操作により第１移報部と第２移報部の移報停止を指示する移報停止スイッチと、
第１検出信号と第２検出信号の両方が得られた場合に起動信号を出力させる起動制御部と、
所定の連動停止解除操作により第１移報部の移報停止を解除させる連動停止解除スイッチと、
が設けられ、
起動制御部は、移報停止スイッチの移報停止操作を検出して第１移報部及び第２移報部の移報動作を停止している状態で、連動停止解除スイッチの連動停止解除操作を検出した場合に第１移報部の移報停止を解除し、第１検出信号による第１移報部の移報動作による移報信号を第２受信部に入力させて起動信号を出力させる。
【００１２】
（移報リレー対応）
第１移報部は電源供給されているときに移報信号を出力する第１移報リレーであり、
第２移報部は電源供給されているときに移報信号を出力する第１移報リレーであり、
移報停止スイッチは、非移報停止位置に操作されている場合は第１移報リレー及び第２移報リレーそれぞれに電源供給するものであり、移報停止位置に操作されている場合は第１移報リレー及び第２移報リレーそれぞれの電源供給を行わないものであり、
連動停止解除スイッチは、連動停止解除位置に操作された場合に、第１移報リレーに電源を供給するように構成する。
【００１３】
（連動操作）
移報停止スイッチを定位位置に操作した場合に連動停止解除スイッチが定位位置に連動して操作され、移報停止スイッチを移報停止位置に操作した場合に連動停止解除スイッチが連動停止解除位置に連動して操作されるように構成する。
【発明の効果】
【００１４】
（基本的な効果）
本発明は、複数系統の信号入力により起動信号を出力する起動制御部と、非点検時は１系統の信号入力があると複数の信号を起動制御部に対して出力し、点検時は１系統の信号入力があっても複数の信号を起動制御部に対して出力しない制御部とが設けられたガス系消火設備に於いて、制御部は、点検時であっても、1系統の信号入力により複数の信号を起動制御部に対して出力する状態に設定可能としたため、複数系統の信号入力により起動信号を出力する起動制御部であっても、点検時には１系統の信号入力により起動信号が出力され、起動動作を簡単且つ容易に確認可能とする。
【００１５】
（ガス系消火設備の効果）
制御部として機能する制御盤に、第１系統目の信号を受信して第１検出信号を出力する第１受信部と、第２系統目の信号を受信して第２検出信号を出力する第２受信部と、第１検出信号により動作して移報信号を出力し、当該移報信号を第２系統目の信号に代えて第２受信部に入力させる第１移報部と、第２検出信号により動作して移報信号を出力する第２移報部と、所定の移報停止操作により第１移報部と第２移報部の移報停止を指示する移報停止スイッチと、所定の連動停止解除操作により第１移報部の移報停止を解除させる連動停止解除スイッチが設けられ、起動制御部は、第１検出信号と第２検出信号の両方が得られた場合に起動信号を出力させ、移報停止スイッチの移報停止操作を検出して第１移報部及び第２移報部の移報動作を停止している状態で、連動停止解除スイッチの連動停止解除操作を検出した場合に第１移報部の移報停止を解除し、第１検出信号による第１移報部の移報動作による移報信号を第２受信部に入力させて起動信号を出力させるようにしたため、設備の点検時に、移報停止スイッチを操作して移報停止を行っていても、連動停止解除スイッチを操作しておくことで、第１系統目の火災発報信号の入力により第１移報部が動作して、第２系統目の火災発報信号に代えて移報信号を入力させることができ、第１系統目と第２系統目の火災発報信号が実質的に入力されることで、起動信号が出力され、起動及び放出動作を確認することができる。
【００１６】
（移報リレー対応による効果）
また、第１移報部は電源供給されているときに移報信号を出力する第１移報リレーであり、第２移報部は電源供給されているときに移報信号を出力する第１移報リレーであり、移報停止スイッチは、非移報停止位置に操作されている場合は第１移報リレー及び第２移報リレーそれぞれに電源供給するものであり、移報停止位置に操作されている場合は第１移報リレー及び第２移報リレーそれぞれの電源供給を行わないものであり、連動停止解除スイッチは、連動停止解除位置に操作された場合に、第１移報リレーに電源を供給するように構成したため、設備の点検時に、移報停止スイッチを操作して移報停止を行っていても、連動停止解除スイッチを操作しておくことで、第１系統目の火災発報信号の入力により第１移報リレーが動作して、第２系統目の火災発報信号に代えて移報リレー接点のオン信号を入力させることができ、第１系統目と第２系統目の火災発報信号が実質的に入力されることで、起動信号が出力され、起動及び放出動作を確認することができる。
【００１７】
（連動操作による効果）
また、移報停止スイッチを定位位置に操作した場合に連動停止解除スイッチが定位位置に連動して操作され、移報停止スイッチを移報停止位置に操作した場合に連動停止解除スイッチが連動停止解除位置に連動して操作されるようにしたため、移報停止スイッチにより移報停止操作を行うと、連動して連動停止解除スイッチが連動停止解除操作され、各スイッチ個別に操作することなく、点検時に移報を停止し、且つ、移報信号を利用した第２系統目の火災発報信号の入力による起動信号の出力が簡単に実現できる。
【図面の簡単な説明】
【００１８】
【図１】本発明によるガス系消火設備の概要を示した説明図
【図２】ガス系消火設備におけるシステム構成の概要を示したブロック図
【図３】制御盤の回路構成の第１実施形態を示した回路ブロック図
【図４】制御盤の回路構成の第２実施形態を示した回路ブロック図
【図５】図４の起動制御部の制御動作を示したフローチャート
【発明を実施するための形態】
【００１９】
［ガス系消火設備の概要］
図１は本発明によるガス系消火設備の概要を示した説明図であり、消火ガスとしてハロンガスを使用した設備を例にとっている。なお、図１の設備構成は一例であり、必要に応じて適宜の構成をとることができる。
【００２０】
図１に示すように、ガス系消火設備にはガス系の消火設備を一括制御する制御盤１０を設け、また防護区画Ａ，Ｂとなる各部屋の外に操作箱１２を設置している。制御盤１０には防護区画Ａ，Ｂ毎に回線ユニットが設けられ、各回線ユニットから引き出された伝送路に、防護区画Ａ，Ｂ毎に設置した操作箱１２を接続して信号伝送を行うようにしている。
【００２１】
操作箱１２は起動スイッチと起動スイッチを保護する扉を備え、手動モードを設定している場合、人が火災を発見したときには、扉を開けて起動スイッチを操作することにより制御盤１０に起動信号を送信し、消火剤としての消火ガスを放出させる。放出表示灯１５は監視区域内に消火ガスが放出されていることを表示し、室内に入らないことを知らせる。
【００２２】
噴射ヘッド１４は消火ガスを室内に放出する。スピーカ１３は消火ガスが放出されることを示す注意警報と退避警報を放送し、人が警戒区域内に存在する場合は直ちに避難することを促す。消火ガス貯蔵容器１６は消火ガスを貯蔵する。
【００２３】
本実施形態にあっては、複数の防護区画Ａ，Ｂについて火災想定を１箇所としており、このため消火ガス貯蔵容器１６は複数の防護区画Ａ，Ｂに対する共通設備として設けており、１防護区画の消火に必要な量の消火ガスを充填している。
【００２４】
起動装置１８は防護区画Ａ，Ｂに対応して設け、制御盤１０から消火ガス放出用の起動信号を受けて内蔵したソレノイドの通電により開弁して二酸化炭素などの開放ガスを放出し、開放ガスにより選択弁１７を開放させると共にハロンガスが充填されている消火ガス貯蔵容器１６の栓を開ける。選択弁１７は起動装置１８の起動による開放ガスを受けて開き、火災の生じた防護区画Ａ又はＢの噴射ヘッド１４に消火ガスを供給して噴射させる。
【００２５】
火災感知器１１は、消火ガスとしてハロンガスを使用していることから１系統の感知器回線で各防護区画Ａ，Ｂの火災を監視している。なお、消火ガスとして二酸化炭素を使用している場合には、火災感知器１１は２系統の感知器回線の各々に接続して火災を監視する。
【００２６】
圧力スイッチ２１は消火ガス貯蔵容器１６から消火ガスが放出されたことを検出し、制御盤１０に検出信号を送り、火災の発生した監視区域に対応した放出表示灯１５を点滅させる。ピストンレリーザ１９は消火ガスが部屋に放出されたとき消火ガスを室外に漏れないようにダンパーで排煙口を閉じる。閉止弁２３は消火ガス貯蔵容器１６からの消火ガスの供給を手動で閉止する。
【００２７】
このようなガス系消火設備において、制御盤１０に自動モードを設定していた場合には、１系統目に接続された火災感知器１１からの火災発報があった場合に、移報出力を２系統目の火災発報として入力することで、擬似的に２回線発報のＡＮＤ条件によるガス放出の起動条件が成立したと判断し、所定時間のカウントダウンを開始すると共にスピーカ１３は消火ガスが放出されることを示す注意警報と退避警報を放送する。
【００２８】
制御盤１０及び操作箱１２には２桁表示の７セグメント表示器を設けており、通常はカウントダウン初期値として所定の秒数を表示しており、カウントダウンを開始すると、残り時間の秒数を順次表示し、カウントダウン終了で零秒を表示する。
【００２９】
制御盤１０のカウントダウンが終了すると、制御盤１０から起動装置１８にガス放出信号を出力して動作し、起動装置１８から二酸化炭素等の開放ガスを選択弁１７に供給して開くと共に消火ガス貯蔵容器１６の栓を開け、ガス供給配管を介して噴射ヘッド１４から火災検知した防護区画の室内に消火ガスとしてハロンガスを放出させる。
【００３０】
また制御盤１０に手動モードを設定していた場合には、監視員が目視又は火災感知器１１の発報によって例えば防護区画Ａの火災を発見し、防護区画Ａの外側に設置している操作箱１２の扉を開いて起動スイッチを押すことで起動信号を制御盤１０に送信し、制御盤１０は起動信号の受信によりガス放出の起動条件が成立したと判断して起動権及びスピーカの鳴動権を獲得し、カウントダウンを開始すると共にスピーカ１３は消火ガスが放出されることを示す注意警報と退避警報を放送し、カウントダウンが終了すると、自動モードの場合と同様にして防護区画の噴射ヘッド１４から消火ガスとしてハロンガスを放出させる。
【００３１】
［ガス系消火設備の機能構成］
図２はガス系消火設備における機能構成の概要を示したブロック図である。図２に示すように、制御盤１０は例えば２つの防護区画に対応して回線ユニット２６−１，２６−２を備えている。
【００３２】
回線ユニット２６−１，２６−２に対しては、消火ガスとして二酸化炭素を使用する場合には２系統の火災感知器１１，１１ａが信号線接続されるが、本実施形態は消火ガスとしてハロンガスを使用していることから１系統の火災感知器１１が信号線接続される。また、回線ユニット２６−１，２６−２に対しては、操作箱１２、スピーカ１３及び起動装置１８を信号線接続している。なお、以下の説明で回線ユニット２６−１，２６−２を区別する必要がない場合は、回線ユニット２６という場合がある。
【００３３】
回線ユニット２６−１，２６−２から引き出された伝送路２４−１，２４−２には、各防護区画に設けた４台の操作箱１２を接続しており、４台の操作箱１２には、伝送路２４−１，２４−２単位に、アドレスＡ１〜Ａ４が予め設定されている。
【００３４】
回線ユニット２６−１，２６−２に対しては共通ユニット２８として、操作部３０、表示部３２、移報操作部３４、スピーカ駆動部３６を設け、相互に信号線接続している。
【００３５】
移報操作部３４には、全ての防護区画での動作モードを一括して自動モード又は手動モードに切替えるキースイッチ、カウントダウン中にガス放出を停止させる非常停止スイッチ、警報を停止させる警報停止スイッチ、移報を停止させる移報停止スイッチ等を設け、各スイッチからの操作信号を回線ユニット２６−１，２６−２に並列出力するように信号線接続している。
【００３６】
表示部３２には、電源状態を示す電源灯、火災発生を示す火災灯、手動モードの設定を示す手動モード表示灯、自動モードの設定を示す自動モード表示灯、ガス放出動作の起動を示す放出起動灯、ガス放出されたことを示す放出灯、カウントダウンに使用する７セグメント表示器等を設けており、回線ユニット２６−１，２６−２から各表示信号をＯＲ入力して表示駆動するように信号線接続している。
【００３７】
移報操作部３４には、移報停止スイッチと連動停止解除スイッチが設けられている。移報停止スイッチは、設備点検時等に操作することで、回線ユニット２６−１，２６−２の移報動作を停止させる。連動停止解除スイッチは、移報停止スイッチの操作による移報停止状態で、火災感知器１１からの１系統目の火災発報信号による移報停止動作を解除させ、移報停止が行われていても、１系統目の火災発報による移報出力を２系統目に入力させ、点検時に起動信号を出力可能とする。この連動停止解除スイッチによる連動停止解除の詳細は、後の説明で明らかにされる。
【００３８】
スピーカ駆動部３６には、消火ガスの放出を行う警報放送の音源とパワーアンプを設けており、回線ユニット２６−１，２６−２に対し放送信号を並列的に入力するように信号線接続している。
【００３９】
［制御盤回路構成の第１実施形態］
（制御盤の機能構成）
図３は制御盤における回路構成の第１実施形態を示した回路ブロック図であり、図２に示した移報操作部３４と回線ユニット２６の一部の機能を取り出して示している。
【００４０】
図３に示すように、制御盤の回線ユニット２６には第１受信部４０、第２受信部４２、第１移報リレー５２、第２移報リレー５８、起動制御部６０及びそれぞれの付帯回路が設けられている。
【００４１】
第１受信部４０からは第１感知器接続端子４４ａ，４４ｂを介して引き出された感知器回線に火災感知器１１が接続され、第１受信部４０は火災感知器１１からの１系統目の火災発報信号を受信すると第１検出信号を出力し、抵抗４８を介してトランジスタ５０のオンにより、第１移報リレー５２を動作させ、その移報リレー接点５２ａ，５２ｂをオンさせる。
【００４２】
第２受信部４２からは、消火ガスとして二酸化炭素ガスを使用する場合には、第２感知器接続端子４６ａ，４６ｂを介して感知器回線が引き出されて火災感知器１１ａを接続しているが、本実施形態は消火ガスとしてハロンガスを使用していることから、２系統目の火災感知器１１ａは接続されておらず、これに代えて第１移報リレー５２の移報リレー接点５２ｂを第２感知器接続端子４６ａ，４６ｂに接続している。
【００４３】
このため火災感知器１１から１系統目の火災発報信号が第１受信部４０で受信されて第１移報リレー５２が動作されると、その移報リレー接点５２ｂのオンにより、第２受信部４２に擬似的な２系統目の火災発報信号が入力することとなり、これにより第２受信部４２は第２検出信号を出力し、抵抗５４を介してトランジスタ５６のオンにより、第２移報リレー５８を動作させ、その移報リレー接点５８ａをオンさせる。
【００４４】
起動制御部６０はＡＮＤ回路６２とドライバ（駆動部）６４を備えており、第１受信部４０からの第１検出信号と第２受信部４２からの第２検出信号が入力すると、両者の論理積によりＨレベル出力を生じ、ドライバ６４から起動信号としてガス放出信号を、ソレノイドを備えた起動装置に出力している。なお、起動制御部６０による起動信号の出力制御は、ＡＮＤ回路６２からのＨレベル出力で所定時間のカウントダウンを開始し、カウントダウンの終了で起動信号としてガス放出信号を起動装置１８に出力するが、図３にあっては、その機能は省略して示している。
【００４５】
移報操作部３４に設けられた移報停止スイッチ７０はロックスイッチであり、定位位置ａと移報停止位置ｂに切り替えられる。移報停止スイッチ７０のスイッチ接片側は電源Ｖｃラインに接続されており、定位位置ａ側はダイオード６６を介して第１移報リレー５２のプラス側に接続され、また第２移報リレー５８のプラス側に直接接続されている。なお、第２移報リレー５８のプラス側に直接接続されている移報停止スイッチ７０からの信号線は他の回線ユニットに引き出され、同様に、第１移報リレーと第２移報リレーに対する接続が行われている。
【００４６】
移報停止スイッチ７０は、通常時は、定位位置ａ側に閉じていることから、移報停止スイッチ７０を介して第１移報リレー５２及び第２移報リレー５８に電源を供給して動作可能としている。また、移報停止スイッチ７０が移報停止位置ｂ側に切り替えられると、第１移報リレー５２及び第２移報リレー５８に対する電源供給が停止され、移報停止となる。
【００４７】
移報操作部３４に設けられた連動停止解除スイッチ７２はロックスイッチであり、定位位置ａと連動停止解除位置ｂとに切り替えられる。連動停止解除スイッチ７２のスイッチ接片側は電源Ｖｃラインに接続されており、定位位置ａ側は開放されており、連動停止解除位置ｂ側は、第１移報リレー５２のプラス側に接続されている。
【００４８】
連動停止解除スイッチ７２は、通常時は、定位位置ａに閉じており、点検時等に移報停止スイッチ７０が移報停止位置ｂへの切り替えられたとき、連動停止解除スイッチ７２は連動停止解除位置ｂに切り替えられると、第１移報リレー５２に連動停止解除スイッチ７２を介して電源を供給するため、移報停止スイッチ７０を移報停止位置ｂに切り替えていても、第１移報リレー５２の動作を可能とする。なお、ダイオード６６は、連動停止解除スイッチ７２を連動停止解除位置ｂに切り替えた場合に第２移報リレー５８が動作可能とならないようにしている。
【００４９】
（点検時の起動制御）
ガス系消火設備を点検する場合には、制御盤１０の移報操作部３４に設けられた移報停止スイッチ７０を移報停止位置ｂに切り替え、また、連動停止解除スイッチ７２を連動停止解除位置ｂに切り替える。
【００５０】
移報停止スイッチ７０を移報停止位置ｂに切り替えると、第１移報リレー５２の第１受信部４０からの第１検出信号の出力による移報動作、及び、第２移報リレー５８の第２受信部４２からの第２検出信号の出力による移報動作の両方が停止される。
【００５１】
この状態で連動停止解除スイッチ７２を連動停止解除位置ｂに切り替えると、第１移報リレー５２に対し電源が供給され、第１受信部４０からの第１検出信号の出力による第１移報リレー５２の移報動作が可能となる。
【００５２】
このため点検時に、火災感知器１１を試験発報させて１系統目の火災発報信号が第１受信部４０に入力すると、第１検出信号の出力により第１移報リレー５２が動作して移報リレー接点５２ａ，５２ｂがオンし、移報リレー接点５２ｂのオンにより第２受信部４２に対する擬似的な２系統目の火災発報信号が入力され、第２検出信号が出力されるが、第２移報リレー５８は移報停止スイッチ７０の移報停止位置ｂへの切り替えで動作せず、移報停止が行われている。
【００５３】
この結果、移報停止スイッチ７０を移報停止位置ｂに切り替えていても、連動停止解除スイッチ７２を連動停止解除位置ｂに切り替えておくことで、火災感知器１１から１系統目の火災発報信号が入力されると、起動制御部６０のＡＮＤ回路６２に第１受信部４０からの第１検出信号と第２受信部４２からの第２検出信号の両方が入力し、ＡＮＤ回路６２の出力がＨレベルとなり、所定時間のカウントダウン後に起動装置１８に起動信号としてガス放出信号を出力させることができる。
【００５４】
［制御盤回路構成の第２実施形態］
（制御盤の機能構成）
図４は制御盤における回路構成の第２実施形態を示した回路ブロック図であり、起動制御部をコンピュータ回路によるプログラムの実行で実現したことを特徴とする。
【００５５】
図４は、図２に示した移報操作部３４と回線ユニット２６の一部の機能を取り出して示しており、制御盤の回線ユニット２６には第１受信部４０、第２受信部４２、第１移報リレー５２、第２移報リレー５８、起動制御部７４及びそれぞれの付帯回路が設けられている。
【００５６】
起動制御部７４は、ＣＰＵ、メモリ、各種の入出力ポートを備えたコンピュータ回路で構成されており、プログラムの実行により起動制御を行う。起動制御部７４に対しては、移報操作部３４に設けられた移報停止スイッチ７０と連動停止解除スイッチ７２が接続され、移報停止スイッチ７０をオン操作すると移報停止信号が起動制御部７４に入力され、連動停止解除スイッチ７２をオン操作すると、連動停止解除信号が起動制御部７４に入力される。
【００５７】
起動制御部７４は、移報停止スイッチ７０及び連動停止解除スイッチ７２がオフしている通常時は、火災感知器１１から１系統目の火災発報信号が入力すると、第１受信部４０から出力される第１検出信号に基づき、第１移報リレー５２を動作させ、第１移報リレー接点５２ｂのオンにより２系統目の火災発報信号を擬似的に入力させ、第２受信部４２から出力される第２検出信号に基づき、第２移報リレー５８を動作させ、第１検出信号と第２検出信号の両方が得られたことを検出し、ドライバ６４を介して起動信号としてガス放出信号を起動装置１８に出力させる制御を行う。
【００５８】
また、点検時には、移報停止スイッチ７０及び連動停止解除スイッチ７２の両方がオン操作されていることから、起動制御部７４は、火災感知器１１を試験発報させて１系統目の火災発報信号の第１受信部４０への入力により第１検出信号が出力されると、第１移報リレー５２を動作し、移報リレー接点５２ｂのオンにより第２受信部４２に対し擬似的な２系統目の火災発報信号を入力させ、これにより第２検出信号を出力させ、第１検出信号と第２検出信号の両方が得られたことで、所定時間のカウントダウン後にドライバ６４を介して起動装置１８に起動信号としてガス放出信号を出力させる制御を行う。このとき点検のために起動装置１８に対する信号線は取り外しており、起動装置１８の動作によりハロンガスが放出されることはない。
【００５９】
（起動制御）
図５は図４の起動制御部の制御動作を示したフローチャートである。図５に示すように、起動制御部７４はステップＳ１で１系統目の火災発報信号の受信による第１受信部４０からの第１検出信号の有無を判別しており、第１検出信号ありを判別するとステップＳ２に進み、移報停止スイッチ７０はオンか否か判別し、通常時はオフであることからステップＳ３に進み、第１移報リレー５２を動作させ、ステップＳ４で第１移報リレー５２の動作による移報リレー接点５２ｂのオンに基づく第２受信部４２からの第２検出信号の有無を判別している。
【００６０】
起動制御部７４はステップＳ４で第２検出信号ありを判別するとステップＳ５に進み、第２移報リレー５８を動作させ、続いてステップＳ６に進み、第１検出信号と第２検出信号の両方が得られていることから、所定時間のカウントダウン後に起動信号を出力してハロンガスの放出を行わせる。
【００６１】
続いて、起動制御部はステップＳ７で所定の消火ガス放出監視処理を行っており、その間にステップＳ８で復旧を判別すると制御動作を終了する。
【００６２】
一方、ガス系消火設備の点検時には、移報停止スイッチ７０及び連動停止解除スイッチ７２がオン操作されていることから、起動制御部７４は、ステップＳ１で第１検出信号ありを判別してステップＳ２に進むと、ステップＳ２で移報停止スイッチ７０のオンを判別してステップＳ９に進み、ステップＳ９で第１移報リレー５２と第２移報リレー５８を動作停止状態とする。
【００６３】
続いて、起動制御部７４はステップＳ１０に進み、連動停止解除スイッチ７２のオンを判別するとステップＳ１１に進み、第１移報リレー５２の動作停止を解除して動作させる。このとき第２移報リレー５８は依然として動作停止となっている。続いて、起動制御部７４はステップＳ１２に進み、第１移報リレー５２の動作でオンした移報リレー接点５２ｂにより第２受信部４２から出力される第２検出信号ありを判別するとステップＳ６に進み、起動信号を出力させる。
【００６４】
［本発明の変形例］
（移報停止スイッチと連動停止解除スイッチの連動）
上記の実施形態は、移報停止スイッチと連動停止解除スイッチを個別に操作しているが、点検時には、両方を操作する必要があることから、移報停止スイッチと連動停止解除スイッチを連動するように構成しても良い。
【００６５】
このスイッチ連動は、図３の実施形態では、移報停止スイッチ７０を定位位置ａに操作した場合に連動停止解除スイッチ７２が定位位置ａに連動して操作され、移報停止スイッチ７０を移報停止位置ｂに操作した場合に連動停止解除スイッチ７２が連動停止解除位置ｂに連動して操作されるように構成する。
【００６６】
また、図４の実施形態では、移報停止スイッチ７０のオン、オフ操作に連動して連動停止解除スイッチ７２がオン、オフ操作されるよう構成する。
【００６７】
また、上記の実施形態は、点検時専用の動作モードを有していないが、点検時専用の動作モードを有するようにしても良い。具体的には、制御盤１０内に点検時モードかどうかを切り替えるスイッチ等を設け、点検時モードの場合は、手動モード・移報停止スイッチをオン、連動停止解除スイッチをオンとする。点検時は、起動信号出力をしてもガス放出をしてほしくない場合が考えられる。上記、点検時モードの場合、起動装置まで起動信号が出力されるが、手動モードのためガスは放出されない。起動装置まで出力される起動信号を検出して表示灯などで報知することで、起動信号が出力されることを点検することもできる。また、点検中に実火災が発生した場合でも、点検モードを解除するか、操作箱１２の起動スイッチを押すことで、消火ガスを放出させることが出来る。
【００６８】
（その他）
また、上記の実施形態は、第１移報部の出力信号を第２受信部に入力することで、第２受信部より信号を出力させていたが、第２受信部を経由せず、第２受信部の信号出力に相当する部分に第１移報部の出力信号を出力するようにしても良い。また、前記処理をCPU内で行い、第２受信部に信号入力を行わないようにしても良い。
【００６９】
また、上記の実施形態は、ガス系消火設備での実施となっているが、例えば水幕発生装置など２系統の信号入力により動作する防災機器に用いても良い。
【００７０】
また、本発明は上記の実施形態に限定されず、その目的と利点を損なうことのない適宜の変形を含み、更に上記の実施形態に示した数値による限定は受けない。
【符号の説明】
【００７１】
１０：制御盤
１１：火災感知器
１２：操作箱
１８：起動装置
２４−１，２４−２：伝送路
２６，２６−１，２６−２：回線ユニット
２８：共通ユニット
３４：移報操作部
４０：第１受信部
４２：第２受信部
４４ａ，４４ｂ：第１感知器接続端子
４６ａ，４６ｂ：第２感知器接続端子
５２：第１移報リレー
５２ａ，５２ｂ，５８ａ：移報リレー接点
５８：第２移報リレー
６０，７４：起動制御部
６２：ＡＮＤ回路
６４：ドライバ
７０：移報停止スイッチ
７２：連動停止解除スイッチ
【図１】
2018068456.tif 000003
【図２】
2018068456.tif 000004
【図３】
2018068456.tif 000005
【図４】
2018068456.tif 000006
【図５】
2018068456.tif 000007